(57)【特許請求の範囲】
【請求項１】
記録媒体に画像を形成する画像形成装置本体と、
前記画像形成装置本体により画像が形成された記録媒体に対し、後処理を実施する後処理装置と、
前記後処理装置により後処理を実施している間に、前記画像形成装置本体に受け付けられた画像データがある場合、前記画像データの割り込み印刷が可能である旨を表示する表示手段と、
前記表示手段により表示された前記画像データの画像形成指示を受け付ける受付手段と、
前記受付手段により画像形成指示を受け付けた場合、前記後処理装置により後処理を実施している間に、前記画像データの割り込み印刷を行う割り込み印刷実行手段と、
を有する画像形成装置。
【請求項２】
前記表示手段は更に、後処理が完了するまでの後処理時間を表示することを特徴とする請求項１に記載の画像形成装置。
【請求項３】
前記表示手段は更に、次の後処理が実行可能になるまでの後処理時間を表示することを特徴とする請求項１に記載の画像形成装置。
【請求項４】
前記表示手段は更に、前記画像データの画像形成が完了するまでの予想画像形成時間を表示することを特徴とする請求項１乃至３いずれかに記載の画像形成装置。
【請求項５】
前記予想画像形成時間が前記後処理時間よりも長い場合、前記画像データを分割して画像形成指示することを受け付ける分割受付手段を有することを特徴とする請求項１乃至４いずれかに記載の画像形成装置。
【請求項６】
前記画像形成装置本体及び前記後処理装置は記録媒体を排出する排出手段を複数個有し、
前記画像形成装置本体に受け付けられた画像データのうち、利用可能な排出手段が選択されている画像データを表示手段へ表示するよう制御される請求項１に記載の画像形成装置。
【請求項７】
前記画像形成装置本体及び前記後処理装置は記録媒体を排出する排出手段を複数個有し、
前記受付手段により、前記画像データの画像形成指示を受け付ける場合、前記画像データを用いて画像が形成された記録媒体が排出される前記排出手段の変更を選択できる排出先変更手段を有することを特徴とする請求項１に記載の画像形成装置。
【請求項８】
記録媒体に画像を形成する画像形成ステップと、
前記画像形成ステップにより画像が形成された記録媒体に対し、後処理を実施する後処理ステップと、
その他の画像形成可能な画像データの有無を確認する確認ステップと、
前記後処理ステップにより後処理を実施している間に、前記確認ステップによりその他の記録可能な画像データを有すると判定された場合、前記画像データの割り込み印刷が可能である旨を表示する表示ステップと、
前記表示ステップにより表示された前記画像データの画像形成指示を受け付ける受付ステップと、
前記受付ステップにより画像形成指示を受け付けた場合、前記後処理装置により後処理を実施している間に、前記画像データの割り込み印刷を行う割り込み印刷実行ステップと、
をコンピュータに実行させるための画像形成プログラム。
【発明の詳細な説明】
【技術分野】
【０００１】
本発明は、画像形成装置およびプログラムに関する。
【背景技術】
【０００２】
特許文献１には、先行するジョブの後処理中に次のジョブの割り込み印刷を行い、後処理された印刷物を得るまでに要する時間を低減させる印刷装置、印刷制御方法、及びコンピュータプログラムについて開示されている。
【先行技術文献】
【特許文献】
【０００３】
【特許文献１】特開２００９−１６０８４９号公報
【発明の概要】
【発明が解決しようとする課題】
【０００４】
本発明の目的は、画像データを用いて印刷した記録媒体の後処理中に画像データの印刷指示の選択が可能な画像形成装置およびプログラムを提供することである。
【課題を解決するための手段】
【０００５】
［画像形成装置］
請求項１に係る本発明は、記録媒体に画像を形成する画像形成装置本体と、前記画像形成装置本体により画像が形成された記録媒体に対し、後処理を実施する後処理装置と、前記後処理装置により後処理を実施している間に、前記画像形成装置本体に受け付けられた画像データがある場合、前記画像データが受け付けられた旨を表示する表示手段と、前記表示手段により表示された前記画像データの画像形成指示を受け付ける受付手段と、を有する画像形成装置である。
【０００６】
請求項２に係る本発明は、前記表示手段は更に、後処理が完了するまでの後処理時間を表示することを特徴とする請求項１に記載の画像形成装置である。
【０００７】
請求項３に係る本発明は、前記表示手段は更に、次の後処理が実行可能になるまでの後処理時間を表示することを特徴とする請求項１に記載の画像形成装置である。
【０００８】
請求項４に係る本発明は、前記表示手段は更に、前記画像データの画像形成が完了するまでの予想画像形成時間を表示することを特徴とする請求項１乃至４に記載の画像形成装置である。
【０００９】
請求項５に係る本発明は、前記予想画像形成時間が前記後処理時間よりも長い場合、前記画像データを分割して画像形成指示することを受け付ける分割受付手段を有することを特徴とする請求項１乃至５に記載の画像形成装置である。
【００１０】
請求項６に係る本発明は、前記画像形成装置本体及び前記後処理装置は記録媒体を排出する排出手段を複数個有し、前記画像形成装置本体に受け付けられた画像データのうち、利用可能な排出手段が選択されている画像データを表示手段へ表示するよう制御される請求項１に記載の画像形成装置である。
【００１１】
請求項７に係る本発明は、前記後処理装置は後処理を実施した記録媒体を排出する排出手段を複数個有し、前記受付手段により、前記画像データの画像形成指示を受け付ける場合、前記画像データを用いて画像が形成された記録媒体が排出される前記排出手段の変更を選択できる排出先変更手段を有することを特徴とする請求項１に記載の画像形成装置である。
【００１２】
[画像形成プログラム]
請求項８に係る本発明は、記録媒体に画像を形成する画像形成ステップと、前記画像形成ステップにより画像が形成された記録媒体に対し、後処理を実施する後処理ステップと、その他の画像形成可能な画像データの有無を確認する確認ステップと、前記後処理ステップにより後処理を実施している間に、前記確認ステップによりその他の記録可能な画像データを有すると判定された場合、前記画像データが受け付けられた旨を表示する表示ステップと、前記表示ステップにより表示された前記画像データの画像形成指示を受け付ける受付ステップと、をコンピュータに実行させるための画像形成プログラムである。
【発明の効果】
【００１３】
請求項１に係る本発明によれば、画像を形成した記録媒体の後処理中に、画像データの印刷指示の選択が可能な画像形成装置を提供することができる。
【００１４】
請求項２に係る本発明によれば、請求項１に係る発明の効果に加えて、画像を形成した記録媒体の後処理に要する時間を参考にすることができる画像形成装置を提供することができる。
【００１５】
請求項３に係る本発明によれば、請求項１に係る発明の効果に加えて、画像を形成する記録媒体の後処理開始までに要する時間を参考にすることができる画像形成装置を提供することができる。
【００１６】
請求項４に係る本発明によれば、請求項１乃至３に係る発明の効果に加えて、画像データの画像形成に要する時間を参考にすることができる画像形成装置を提供することができる。
【００１７】
請求項５に係る本発明によれば、請求項１乃至４に係る発明の効果に加えて、後処理中である記録媒体の画像形成が停滞することを回避することができる画像形成装置を提供することができる。
【００１８】
請求項６に係る本発明によれば、請求項１に係る発明の効果に加えて、後処理を行っている記録媒体と排出先の競合しない画像データの画像形成を滞りなく行える画像形成装置を提供することができる。
【００１９】
請求項７に係る本発明によれば、請求項１乃至３に係る発明の効果に加えて、後処理中のため一時的に使用できない排出手段を避けて、他の排出手段に排出することができる画像形成装置を提供することができる。
【００２０】
請求項８に係る本発明によれば、画像を形成した記録媒体の後処理中に、画像データの印刷指示の選択が可能な画像形成プログラムを提供することができる。
【図面の簡単な説明】
【００２１】
【図１】本発明の一実施形態の画像形成装置のシステム構成を示す図である。
【図２】本発明の一実施形態の画像形成装置に用いられる入力装置１１の機能構成を示すブロック図である。
【図３】本発明の一実施形態の画像形成装置に用いられる製本装置２０の内部構成を示した図である。
【図４】本発明の一実施形態の画像形成システムにおける端末装置３０のハードウェア構成を示した図である。
【図５】本発明の一実施形態における割り込み印刷を行う場合の画像形成システムにおける処理を説明するフローチャートである。
【図６】本発明の一実施形態における画像形成装置１０及び製本装置２０によって画像形成される用紙の排出先を示した図である。
【図７】本発明の一実施形態における割り込み印刷ジョブ選択時での入力装置１１の表示画面の例を示した図である。
【図８】本発明の一実施形態における割り込み印刷を行う場合の画像形成システムにおける処理を説明する別のフローチャートである。
【図９】図８に示されるフローチャート処理における割り込み印刷ジョブ選択時での入力装置１１の表示画面の例を示した図である。
【図１０】本発明の一実施形態における割り込み印刷を行う場合の画像形成システムにおける処理を説明する別のフローチャートである。
【図１１】図１０に示されるフローチャート処理における割り込み印刷ジョブ選択時での入力装置１１の表示画面の例を示した図である。
【発明を実施するための形態】
【００２２】
以下、図面を参照して、本発明を実施するための形態を説明する。但し、以下に示す各実施形態は、本発明の技術思想を具体化するための画像形成装置およびプログラムを例示するものであって、本発明をこれらに特定することを意図するものではなく、特許請求の範囲に含まれるその他の実施形態のものにも均しく適応し得るものである。
【００２３】
図１は本発明の一実施形態の画像形成装置の構成を示すブロック図である。
本発明の一実施形態に係る文書処理プログラムを用いた画像形成システムは、図１に示されるように、ネットワーク４０により相互に接続された画像形成装置１０、製本装置２０及び端末装置３０により構成される。端末装置３０は、印刷データを生成して、ネットワーク４０経由にて生成した印刷データを画像形成装置１０に対して送信する。画像形成装置１０は、端末装置３０から送信された印刷ジョブを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。製本装置２０は、画像形成装置１０により印刷された表紙用の用紙によって、本文用の用紙をくるむ、くるみ製本を行い、一冊の本へと製本するいわゆるくるみ製本機と呼ばれる装置である。
【００２４】
画像形成装置１０は、印刷が完了した印刷データについて、後述する製本装置２０によって後処理を行っている間に、その他の印刷データの印刷を行う割り込み印刷機能を有している。
【００２５】
画像形成装置１０は、割り込み印刷を行う印刷データの選択が可能な入力装置１１を有している。図２は、入力装置１１の機能構成を示すブロック図である。
【００２６】
本実施形態の入力装置１１は、図２に示されるように、制御部４１と、表示部４２と、通信部４３と、入力受付部４４と、ジョブ受付部４５と、文書管理部４６と、を備えている。
【００２７】
制御部４１は、表示部４２への表示や、通信部４３による通信、入力受付部４４、ジョブ受付部４５、文書管理部４５の制御、印刷データのラスタライズ等を行う。
【００２８】
表示部４２は、割り込み印刷を行う印刷データの選択に必要な情報を使用者へと表示する。例えば現在後処理を行っている印刷データの後処理が完了するまでの後処理残り時間や、割り込み印刷を行う印刷データの印刷が完了するまでに必要な時間である予想プリント時間などである。
【００２９】
通信手段４３は、端末装置３０からの印刷データ等の受信や、画像形成装置１０への印刷指示の送信等を行う。
【００３０】
入力受付部４４は、使用者による割り込み印刷を行う印刷データの選択を受け付ける。本実施形態では、表示部４２に表示される割り込み印刷釦を押下することにより、割り込み印刷を行う印刷データの選択を受け付けるものとしている。
【００３１】
ジョブ受付部４５は、通信手段４３によって端末装置３０から送信されてきた印刷データを受け付け、文書管理部４６へと印刷データを保存する。
【００３２】
上記入力装置１１によって割り込み印刷を行う割り込み印刷データが選択され、割り込み印刷が指示された場合、文書管理部４６に保存されている印刷データに基づいて割り込み印刷が行われる。
【００３３】
本実施形態の画像形成システムにおける製本装置２０の内部構成を図３に示す。製本装置２０はくるみ製本を行う装置であり、製本表紙トレイ２１と、製本本文トレイ２２と、糊付けユニット２３と、断裁ユニット２４と、積載トレイ２５と、を有している。
【００３４】
製本表紙トレイ２１は、画像形成装置１０などにより印刷された表紙を載置するトレイであり、製本本文トレイ２２は、画像形成装置１０により印刷された文書本体用紙を載置するトレイである。
【００３５】
くるみ製本表紙トレイ２１と、くるみ製本本文トレイ２２にそれぞれ表紙用紙及び本文用紙が載置され、端末装置３０からの信号の送信又は製本装置２０に取り付けられている開始釦（図示せず）を押下することにより、くるみ製本が開始される。まず、製本表紙トレイ２１に載置されている表紙が製本装置内の糊付けユニット２３へと送られ、表紙の背表紙となる位置に、製本本文トレイ２２に載置されている文書本体用紙が送られ、糊付けされる。
【００３６】
その後、糊付けされて一体となった表紙及び文書本体用紙群は断裁ユニット２４へと送られ、背表紙方向以外に設けられている余白部分を断裁し、積載トレイ２５へと製本済みの本が載置され、製本が完了する。
【００３７】
次に、本実施形態の画像形成システムにおける端末装置３０のハードウェア構成を図４に示す。
【００３８】
端末装置３０は、図４に示されるように、ＣＰＵ３１、メモリ３２、ハードディスクドライブ（ＨＤＤ）等の記憶装置３３、画像形成装置１０や製本装置２０との間でデータの送信及び受信を行う通信インタフェース（ＩＦ）３４を有する。これらの構成要素は、制御バス３５を介して互いに接続されている。
【００３９】
ＣＰＵ３１は、メモリ３２または記憶装置３３に格納された制御プログラムに基づいて所定の処理を実行して、端末装置３０の動作を制御する。
【００４０】
なお、本実施形態では、ＣＰＵ３１は、メモリ３２または記憶装置３３内に格納された制御プログラムを読み出して実行するものとして説明したが、当該プログラムをＣＤ−ＲＯＭ等の記憶媒体に格納してＣＰＵ３１に提供することも可能である。
【００４１】
[実施例１]
図５のフローチャートを用い、実施例１での後処理中の印刷待ち時間に別のジョブの割り込み印刷を行う場合の画像形成装置における処理を説明する。
【００４２】
まず、画像形成装置１０により、端末装置３０から送信された印刷データである第１ジョブの１部目の印刷を開始する（ステップＳ１０１）。次に、後処理装置である製本装置２０により、ステップＳ１０１で印刷が完了した第１ジョブの１部目の後処理を開始する（ステップＳ１０２）。
【００４３】
ここで、制御部４１は、第１ジョブと他の印刷データであって、印刷可能な割り込みジョブがあるかの確認を行う（ステップＳ１０３）。このとき、製本装置２０で後処理を行っているため、制御部４１は、製本装置２０よりも後ろに存在するスタッカーが排出先となっている印刷ジョブの印刷は不可能であると判定する。これは、製本装置２０での後処理が動作中は製本装置２０を通過する経路での紙送りが実施できない場合があるためである。
【００４４】
画像形成装置１０及び製本装置２０によって画像形成される用紙の排出先を図６に示す。本実施例において、給紙装置、画像形成装置１０、スタッカーＡ、製本装置２０、スタッカーＢの順序で接続されている。画像形成装置１０はスタッカーＡを排出先として有し、製本装置２０は、前述した積載トレイ２５の他、製本装置２０の後方にスタッカーＢを排出先として有している。
【００４５】
印刷可能な割り込みジョブがない場合、印刷待ちである第１ジョブの次の部があるかの確認を行う（ステップＳ１０４）。第１ジョブの次の部がある場合、最初のステップＳ１０１へと戻り、第１ジョブの次の部の印刷を開始する。印刷待ちの第１ジョブが無い場合、処理を終了する。
【００４６】
ステップＳ１０３で印刷可能な割り込みジョブがある場合、入力装置１１の表示画面にダイアログを表示する（ステップＳ１０５）。表示画面には、製本装置２０よりも前に存在するスタッカーＡが排出先となっている印刷ジョブのみが表示される。また、製本装置２０での製本処理が実行中でも次の製本処理を実行可能または製本装置を通過する経路での紙送りが可能になる場合は、スタッカーＡおよびスタッカーＢが排出先となる印刷ジョブが表示されるよう制御してもよい。
【００４７】
割り込み印刷ジョブ選択時における入力装置１１の表示画面を図７に示す。入力装置１１の表示画面には、割り込み印刷可能な印刷待ちジョブリスト及び印刷待ちジョブそれぞれに割り込み印刷指示の為の割り込み印刷指示釦が表示されている。
【００４８】
画像形成装置１０の使用者は、入力装置１１の表示画面に表示された印刷待ちジョブリストを確認し、割り込み印刷を行うジョブの選択を行う（ステップＳ１０６）。
【００４９】
入力装置１１の表示画面には、図７に示されるように、製本装置２０による後処理が完了するまでの後処理残り時間及び印刷待ちジョブそれぞれについて、画像形成装置１０による印刷が完了するまでの予想プリント時間が示されている。
【００５０】
後処理残り時間は、糊付け時間、くるみ時間及び裁断時間を全て足し合わせることで算出される。糊付け時間、くるみ時間及び裁断時間は、製本サイズや本文の枚数、裁断方法それぞれについて、予め様々な条件の下でそれぞれの時間を計測しておき、それらの組み合わせによって予想時間として用いる。この後処理残り時間は後処理（本実施例においては製本処理）に必要な時間だけでなく、後処理を実行する装置（本実施例においては製本装置２０）を通過する経路での紙送りが利用可能になるまでの時間でもよい。
【００５１】
予想プリント時間は、ラスタライズが完了していれば、用紙サイズ、坪量、両面印刷の有無などにおける画像形成装置１０での印刷完了時間を算出しておき、印刷待ちジョブの印刷頁数を乗算することで予想時間としている。ジョブ４は現在ラスタライズ中であるため、予想プリント時間の算出が完了していない。
【００５２】
図７において、ジョブ４は現在ラスタライズ中であり、まだ印刷を開始することができないため、割り込み印刷の釦を押下することができない状態となっている。本実施例では、ラスタライズ中の印刷待ちジョブは割り込み印刷の選択を不可能であるものとしているが、割り込み印刷の選択を可能であるものとしてもよい。画像形成装置１０の使用者は、後処理残り時間及び予想プリント時間を参考にし、割り込み印刷の要否を判断できる。
【００５３】
割り込み印刷を行う割り込みジョブが選択された場合、第１ジョブの後処理中にその他のジョブである割り込みジョブの割り込み印刷を行う（ステップＳ１０７）。割り込み印刷が終了すると、前述したステップＳ１０４へと移行する。
【００５４】
ステップＳ１０６において、割り込み印刷を行う割り込みジョブが選択されなかった場合、割り込み印刷は行われず、前述したステップＳ１０４へと移行する。
【００５５】
[実施例２]
次に、図８のフローチャートを用いて、実施例２での後処理中の印刷待ち時間に別のジョブの割り込み印刷を行う場合の画像形成装置における処理を説明する。なお、実施例１と処理が同様のステップについては同一の符号を符し、説明を省略する。
【００５６】
まず、ステップＳ１０１で第１ジョブの１部目の印刷を開始し、次に、ステップＳ１０２で、印刷が完了した第１ジョブの１部目の後処理を開始し、ステップＳ１０３で、第１ジョブ以外の印刷可能なジョブがあるかの確認を行う。
【００５７】
ステップＳ１０３において、第１ジョブ以外の印刷可能なジョブがある場合、制御部４１は、製本装置２０による後処理が完了するまでの後処理残り時間と、画像形成装置による割り込みジョブの印刷が完了するまでの予想プリント時間との比較を行う（ステップＳ１０５１）。
【００５８】
後処理残り時間と予想プリント時間とを比較し、後処理残り時間よりも予想プリント時間が長かった場合、割り込みジョブの分割は有効であると判定し、割り込みジョブの分割印刷を有効として、入力装置１１の表示画面へとダイアログを表示する（ステップＳ１０５２）。
【００５９】
これに対し、後処理残り時間よりも予想プリント時間が短かった場合、割り込みジョブの分割は無効であると判定し、割り込みジョブの分割印刷を無効として、入力装置１１の表示画面へとダイアログを表示する（ステップＳ１０５３）。
【００６０】
このときの入力装置１１の表示画面の例を図９に示す。図９Ａは、印刷を行い、現在後処理を行っている第１ジョブの後処理残り時間が５分であり、印刷待ちジョブであるジョブ４の予想プリント時間が１０分００秒である状態、図９Ｂは、同じく後処理残り時間が５分であり、印刷待ちジョブであるジョブ５の予想プリント時間は３分４５秒である状態が示されている。
【００６１】
ジョブ４の予想プリント時間は後処理残り時間よりも長いため、制御部４１は、割り込みジョブの分割は有効であると判定し、割り込みジョブの割り込み印刷のみではなく、割り込みジョブの分割印刷が有効となる。分割印刷が選択されると（ステップＳ１０６）、予想プリント時間を後処理残り時間で除算した分のジョブの割り込み印刷を開始する（ステップＳ１０７）。分割印刷ではなく、割り込み印刷が選択されると（ステップＳ１０６）、そのままジョブ４の割り込み印刷を開始する（ステップＳ１０７）。このとき、後処理残り時間よりもジョブ４の印刷に時間がかかるため、第１ジョブの次の部の印刷を待つことになる。
【００６２】
これに対し、ジョブ５の予想プリント時間は後処理残り時間よりも短いため、制御部４１が割り込みジョブの分割印刷は無効であると判定し、割り込みジョブの分割印刷の選択が無効となる。割り込み印刷が選択されると（ステップＳ１０６）、そのままジョブ３の割り込み印刷を開始し（ステップＳ１０７）、割り込み印刷終了後、ステップＳ１０４へと移行する。
【００６３】
[実施例３]
次に、図１０のフローチャートを用いて、実施例３での後処理中の印刷待ち時間に別のジョブの割り込み印刷を行う場合の画像形成装置における処理を説明する。なお、実施例１と処理が同様であるステップについては同一の符号を符し、説明を省略する。
【００６４】
まず、ステップＳ１０１で第１ジョブの１部目の印刷を開始し、次に、ステップＳ１０２で、印刷が完了した第１ジョブの１部目の後処理を開始し、ステップＳ１０３で、第１ジョブ以外の印刷可能なジョブがあるかの確認を行う。
【００６５】
実施例１において、製本装置２０よりも後方にあるスタッカーが排出先と設定されている印刷ジョブは、制御部４１により印刷不可能であると判定され、表示されていなかった。これに対し、本実施例においては製本装置２０よりも後方にあるスタッカーが排出先と設定されている印刷ジョブであっても、入力装置１１の表示画面に割り込みジョブ選択ダイアログとして表示する（ステップＳ１０５４）。
【００６６】
本実施例における割り込みジョブ選択ダイアログ表示中の入力装置１１の表示画面の例を、図１１Ａに示す。ジョブ６は製本装置２０よりも後方にあるスタッカーＢが排出先として設定されており、このままでは印刷を開始することができない。ジョブ２の割り込み印刷を選択すると（ステップＳ１０６）、制御部４１は、排出先の変更が必要であるかの判定を行う（ステップＳ１０６１）。
【００６７】
ステップＳ１０６１において、排出先の変更が必要であると判定された場合、排出先選択ダイアログが入力装置１１の表示画面へ表示される（ステップＳ１０６２）。本実施例における排出先選択ダイアログ表示中の入力装置１１の表示画面の例を、図１１Ｂに示す。排出先選択ダイアログでは、製本装置２０よりも前方にあるスタッカーのみが候補として表示される。本実施例においてはスタッカーＡである。ここで、スタッカーＡが選択され、割り込み印刷指示が行われると（ステップＳ１０６３）、割り込み印刷が開始される（ステップＳ１０７）。ステップＳ１０６３において、スタッカーＡを選択せず、割り込み印刷指示が行われなければ、ステップＳ１０４へと移行する。
【００６８】
本実施形態においてはくるみ製本についての説明を行ったが、くるみ製本だけではなく、平綴じ製本、中綴じ製本、リング綴じ製本など、その他の製本処理についても同様に、一連の操作で製本を行うことが可能である。
【００６９】
なお、本発明のプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
【００７０】
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
【００７１】
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
【００７２】
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
【００７３】
さらに、前記のプログラムは、他のプログラムの一部分であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７４】
１０    画像形成装置
１１    入力装置
２０    製本装置
３０    端末装置
４０    ネットワーク
【図１】
0006402987.tif 000002
【図２】
0006402987.tif 000003
【図３】
0006402987.tif 000004
【図４】
0006402987.tif 000005
【図５】
0006402987.tif 000006
【図６】
0006402987.tif 000007
【図７】
0006402987.tif 000008
【図８】
0006402987.tif 000009
【図９】
0006402987.tif 000010
【図１０】
0006402987.tif 000011
【図１１】
0006402987.tif 000012